(57)【要約】【課題】作用する力の方向に関係なく、外部接続端子の変形、破損等の不具合を抑制することができるテレビジョン受像機のリヤキャビネットを提供する。【解決手段】基板ＰＢに実装され、外部接続端子４１を備えた電子部品４と、外部接続端子４１が挿通された貫通孔３２１を備えた外部接続部３２とを有し、貫通孔３２１は内壁３２２が外部接続端子４１の外周面に対し、全周にわたり所定の長さ以下の幅となるように対向配置されているリヤキャビネット３。【選択図】図４
2011029825.tif 000002
【特許請求の範囲】
【請求項１】
外部接続端子が挿通された貫通孔を含む外部接続部を有するリヤキャビネットであって、
前記貫通孔はその内周面が前記外部接続端子の外周面に対し、全周にわたり所定の長さ以下の幅となるように対向配置されていることを特徴とする液晶テレビジョン受像機のリヤキャビネット。
【請求項２】
前記所定の幅は、前記外部接続端子が破損しない程度に変形したときに、前記外部接続端子の外周面が前記貫通孔の内壁と接触する長さである請求項１に記載の液晶テレビジョン受像機のリヤキャビネット。
【請求項３】
前記外部接続端子は、プラグが接続されたとき、前記プラグの先端が前記外部接続部と近接するように、前記貫通孔から外部に突出している請求項１又は請求項２に記載の液晶テレビジョン受像機のリヤキャビネット。
【請求項４】
前記外部接続部は前記リヤキャビネットの外面より凹んだ凹部を備えており、
前記貫通孔が前記凹部の底部に形成されている請求項１から請求項３のいずれかに記載の液晶テレビジョン受像機のリヤキャビネット。
【請求項５】
前記凹部は前記底部と接続した側壁部を備えており、
前記側壁部は前記外部接続端子にプラグが接続されたとき、前記プラグの外側面と近接する位置に形成されている請求項４に記載の液晶テレビジョン受像機のリヤキャビネット。
【請求項６】
前記貫通孔は前記外部接続端子の外周の少なくとも一部が接触するように形成されている請求項１から請求項５のいずれかに記載の液晶テレビジョン受像機のリヤキャビネット。
【請求項７】
前記外部接続端子はアンテナ入力端子である請求項１から請求項６のいずれかに記載の液晶テレビジョン受像機のリヤキャビネット。
【発明の詳細な説明】
【技術分野】
【０００１】
本発明は、ＬＣＤやＰＤＰ等の薄型画像表示装置を用いた薄型のテレビジョン受像機の外部接続端子を指示するリヤキャビネットに関するものである。
【背景技術】
【０００２】
テレビジョン受像機には、外部からの放送信号、映像信号及び音声信号等の電気信号を受信するため、外部に配置されたケーブルを接続するための外部接続端子が備えられている。これらの外部接続端子の多くは正面（テレビジョン受像機の映像表示側）とは異なる面（背面又は側面或いはその両面）より外部に突出している場合が多い。これら外部接続端子の中でも、放送信号が入力されるアンテナ入力端子はアンテナケーブルの先端に取り付けられたプラグをねじ込んで固定することができ、前記アンテナ入力端子と前記プラグとが抜けにくい。
【０００３】
一方で、前記アンテナ入力端子と前記プラグとが抜けにくく接続されていることで、前記プラグが取り付けられた前記アンテナケーブルが引張られるとその引張力が前記アンテナ入力端子に作用してしまう。特に、前記アンテナケーブルが前記アンテナ入力端子と交差する方向に引張られると、前記アンテナ入力端子が曲がる場合があり、最悪の場合、折れてしまう場合もある。
【０００４】
そこで、アンテナケーブルが引張られてもアンテナ入力端子の破損等の不具合を押えるための対策が採られている。図７は従来の液晶テレビジョン受像機の背面側から見た斜視図であり、図８は図７に示す液晶テレビジョン受像機のアンテナ入力部の拡大図である。図７に示すように、テレビジョン受像機Ｂはフロントキャビネット９１と、リヤキャビネット９２とを備えている。
【０００５】
図７に示すようにリヤキャビネット９２には、アンテナ入力端子９４１の先端を外部に突出させるための貫通孔９２１と、貫通孔９２１の周囲には外部に突出して形成された補強リブ９２２とを備えたアンテナ入力部が形成されている。補強リブ９２２は貫通孔９２１を挟んで対称となる位置に形成されている。このアンテナ入力端子９４１にプラグを接続することで、プラグと補強リブ９２２とが接触又は非常に接近する（特開２００８−３００８９３号公報参照）。
【０００６】
従来の液晶テレビジョン受像機はテレビ台の上に配置されることが多く、誤ってアンテナケーブルを引張った場合、テレビジョン受像機をテレビ台の上においた状態で左右方向に引張られることが多い。ケーブルが引張られたことによりプラグが傾く方向に一対の補強リブ９２２が形成されているので、アンテナケーブルが引張られてもアンテナケーブルの先端に配置されたプラグが補強リブ９２２と接触する。ケーブルが引張られたことによる引張力を補強リブ９２２が受けるので、アンテナ入力端子９４１に作用する力を低減することができる。これにより、アンテナ入力端子９４１の破損を抑制することができる。
【先行技術文献】
【特許文献】
【０００７】
【特許文献１】特開２００８−３００８９３号公報
【発明の概要】
【発明が解決しようとする課題】
【０００８】
液晶テレビジョン受像機Ｂは、装置自体が薄く、さらに、近年の生活スタイルの多様化に伴い、設置場所も従来のようにテレビ台の上に限られなくなってきた。例えば、壁掛けといわれる壁面に設置するものがある。液晶テレビジョン受像機を壁面に設置する場合の多くは、テレビ台よりも高い位置に設置される。このとき、アンテナケーブルは壁面に沿って下方或いは上方に配置されることが多く、アンテナケーブルが引張られると、プラグには下方向又は上方向の力が作用する。
【０００９】
すなわち、液晶テレビジョン受像機Ｂの設置場所が変化することで、アンテナケーブルが引張られる方向が左右方向に限定されなくなっており、アンテナケーブルが補強リブ９２２を形成していない方向に引張られる可能性が多くなってきている。
【００１０】
補強リブ９２２が形成されていない方向にアンテナケーブルが引張られると補強リブ９２２が形成されていなかった場合と同様に、プラグが補強リブ９２２と接触せず、アンテナ入力端子９４１に無理な力が作用し、アンテナ入力端子９４１が変形、破損してしまう。
【００１１】
また、液晶テレビジョン受像機を壁面に近接させて取り付ける場合、アンテナケーブルの取り回しを容易にするため、アンテナケーブルの軸と直交する方向に突出した接続端子を備えたプラグが用いられる場合がある。直交した接続端子を備えたプラグの場合、補強リブ９２２が邪魔になる場合が多く、補強リブ９２２を避けて配置される場合が多い。このように、プラグが補強リブ９２２を避けて接続されているアンテナケーブルが引張られると、プラグは補強リブ９２２が形成されていない方向に引張られ、その力がアンテナ入力端子９４１に作用するので、変形、破損の原因となる。
【００１２】
上記の課題をかんがみて本発明は、作用する力の方向に関係なく、外部接続端子の変形、破損等の不具合を抑制することができるテレビジョン受像機のリヤキャビネットを提供することを目的とする。
【課題を解決するための手段】
【００１３】
上記目的を達成するために本発明は、外部接続端子が挿通された貫通孔を含む外部接続部を有する液晶テレビジョン受像機のリヤキャビネットであって、前記貫通孔はその内周面が前記外部接続端子の外周面に対し、全周にわたり所定の長さ以下の幅となるように対向配置されている。
【００１４】
以上の構成によると、前記外部接続端子に接続されているケーブルが引張られて、前記外部接続端子に軸に対して交差する方向の力が作用した場合、前記外部接続端子の外周面と前記貫通孔の内壁が当接することで、前記外部接続端子に作用している力を、前記貫通孔の内壁が受けるので、前記外部接続端子が折れたり、曲がったりする不具合を抑制することができる。しかも、前記貫通孔の内壁は前記外部接続端子の外周面に対し全周にわたって所定の幅以下で対向しているので、前記外部接続端子の変形方向にかかわらず、前記外部接続端子は前記貫通孔に接近する。
【００１５】
なお、前記所定の幅は、前記外部接続端子が破損しない程度に変形したときに、前記外部接続端子の外周面が前記貫通孔の内壁と接触する長さを挙げることができる。このことにより、前記外部接続端子の外周面は前記外部接続端子が破損する前に、前記貫通孔の内壁と接触する。すなわち、前記外部接続端子は変形する方向にかかわらず、その変形時に前記外部接続端子に作用する力は前記貫通孔の内壁で受ける。これにより、前記外部接続端子の変形方向に関係なく、前記外部接続端子の折れや曲がり等といった破損を抑制することができる。
【００１６】
上記構成において、前記外部接続端子は、プラグが接続されたとき、前記プラグの先端が前記外部接続部と近接するように、前記貫通孔から外部に突出していてもよい。
【００１７】
この構成によると、前記外部接続端子に軸に対して交差する向きの力が作用したとき、前記プラグの先端が前記外部接続部と接触して、力を受けるので、前記外部接続端子の折れ、曲がり等といった破損を抑制することができる。
【００１８】
上記構成において、前記外部接続部は前記リヤキャビネットの外面より凹んだ凹部を備えており、前記貫通孔が前記凹部の底部に形成されていてもよい。このとき、前記凹部は前記底部と接続した側壁部を備えており、前記側壁部は前記外部接続端子にプラグが接続されたとき、前記プラグの外側面と近接する位置に形成されていてもよい。
【００１９】
この構成によると、凹部の底部より前記外部接続端子が突出する構成となっており、プラグを介して前記外部接続端子に接続されたケーブルは、前記凹部の出口で折れ曲がるように配置されているので、前記ケーブルが引張られても前記外部接続端子が折れたり、曲がったりする方向の力が作用しにくい。また、前記凹部の側壁部と前記プラグとが近接しているので、前記外部接続端子に軸方向に対して交差する力が作用した場合でも、前記プラグが前記側壁部と接触して力を受けるので、前記外部接続端子に折れ、曲がり等といった破損を生じるのを抑制することが可能である。
【００２０】
上記構成において、前記貫通孔は前記外部接続端子の外周の少なくとも一部が接触するように形成されていてもよい。なお、前記外部接続端子として、例えばアンテナ入力端子を挙げることができる。
【発明の効果】
【００２１】
本発明によると、作用する力の方向に関係なく、外部接続端子の変形、破損等の不具合を抑制することができるテレビジョン受像機のリヤキャビネットを提供できる。
【図面の簡単な説明】
【００２２】
【図１】液晶テレビジョン受像機のフロントキャビネットとリヤキャビネットとを分解した状態の斜視図である。
【図２】図１に示すリヤキャビネットのアンテナ入力部の周りを拡大した斜視図である。
【図３】図２で示したリヤキャビネットをＸ−Ｘ線で切断した断面図である。
【図４】図３に示すアンテナ入力端子にプラグを取り付けた状態の断面図である。
【図５】本発明にかかる液晶テレビジョン受像機のリヤキャビネットの他の例の拡大断面図である。
【図６】図５に示すアンテナ入力部に配置されたアンテナ入力端子にプラグを接続した状態の断面図である。
【図７】従来の液晶テレビジョン受像機の背面側から見た斜視図である。
【図８】図７に示す液晶テレビジョン受像機のアンテナ入力部の拡大図である。
【発明を実施するための形態】
【００２３】
以下に本発明の実施形態を図面を参照して説明する。図１は液晶テレビジョン受像機のフロントキャビネットとリヤキャビネットとを分解した状態の斜視図である。
【００２４】
図１に示すように、液晶テレビジョン受像機Ａは、液晶表示ユニット１と、液晶表示ユニット１の正面側をカバーするフロントキャビネット２と、液晶表示ユニット１の背面側をカバーするリヤキャビネット３とを有している。また、図示を省略しているが、リヤキャビネット３には、スタンドが取り付けられている。フロントキャビネット２及びリヤキャビネット３はそれぞれ、樹脂の成型品である。
【００２５】
液晶表示ユニット１は、液晶パネルを含む画像表示装置であり、液晶パネルを囲む直方体形状の金属製のフレーム１０を有している。フレーム１０は正面に画像表示部を備えており、背面に液晶テレビジョン受像機Ａの動作を制御するためのメイン基板ＰＢが取り付け固定されている。メイン基板ＰＢには、直方体形状のチューナユニット４が実装されている。チューナユニット４は金属製のシャーシ４０で覆われており、シャーシ４０のメイン基板ＰＢと反対側の面には、メイン基板ＰＢと直交する方向に突出したアンテナ入力端子（外部接続端子）４１が備えられている。
【００２６】
フロントキャビネット２は正面視横長の長方形状であり、正面の外縁から背面に向かって立設された側壁２０を備えている。フロントキャビネット２の中央部には、長方形状の開口２１が形成されており、開口２１から画像表示部が見えるように、液晶表示ユニット１は位置決めされる。そして、フロントキャビネット２と液晶表示ユニット１とは、ねじにて固定される。
【００２７】
リヤキャビネット３は、長方形状の背面を有しており、長方形状の外縁より正面側に立設された側壁３０を備えている。また、リヤキャビネット３の背面にはメイン基板ＰＢに実装されている外部端子（不図示）の先端を外部に露出させるための貫通孔３１が形成されている。さらに、メイン基板ＰＢに実装されているチューナユニット４に備えられているアンテナ入力端子４１が配置されたアンテナ入力部（外部接続部）３２が形成されている。
【００２８】
フロントキャビネット２の背面に液晶表示ユニット１を固定した後、フロントキャビネット２の側壁２０と、側壁３０が重なるようにリヤキャビネット３を配置する。このとき、メイン基板ＰＢに実装されている外部端子と貫通孔３１とが重なる。また、アンテナ入力端子４１がアンテナ入力部３２に配置される。そして、リヤキャビネット３側からねじ止めして固定する。なお、ねじ止めはフロントキャビネット２と固定するものであるが、液晶表示ユニット１のフレーム１０をとも締めするようにしてもよい。
【００２９】
本発明の要点であるリヤキャビネットのアンテナ入力部の詳細について図面を参照して説明する。図２は図１に示すリヤキャビネットのアンテナ入力部の周りを拡大した斜視図であり、図３は図２で示したリヤキャビネットをＸ−Ｘ線で切断した断面図である。
【００３０】
図２に示すように、リヤキャビネット３の背面に形成されているアンテナ入力部３２は、アンテナ入力端子４１が先端を露出させるように挿入された貫通孔３２１を備えている。図３に示すようにアンテナ入力端子４１は貫通孔３２１の内周面３２２と近接している。アンテナ入力端子４１に対して、アンテナ入力端子４１の軸方向と交差する方向の力が作用した場合であっても、アンテナ入力端子４１が貫通孔３２１の内周面３２２と接触することで、力が分散される。
【００３１】
これにより、アンテナ入力端子４１のシャーシ４０との接続部分に応力が集中するのを軽減すことができるので、アンテナ入力端子４１が曲がったり、シャーシ４０との接続部分で折れてしまったりする不具合の発生を抑えることができる。
【００３２】
なお、貫通孔３２１の内周面３２２がアンテナ入力端子４１の外壁面と一定の範囲の間隔を隔てて囲んでいるので、アンテナ入力端子４１の軸方向と交差する方向に作用する力の向きにかかわらず、アンテナ入力端子４１が内周面３２２と接触し、力を内周面３２２に分散させることができる。これにより、アンテナ入力端子４１は軸方向と交差する方向の力を受けても、シャーシ４０との接続部での応力集中を低減することができ、アンテナ入力端子４１が曲がったり、シャーシ４０との接続部分で折れてしまったりする不具合の発生を抑えることができる。
【００３３】
図４は図３に示すアンテナ入力端子にプラグを取り付けた状態の断面図である。アンテナケーブルＡＣの先端部には、アンテナ入力端子４１と電気的に接続されるプラグＰｇが取り付けられている。プラグＰｇは円柱状の凹部を有しており、中心部にアンテナ入力端子４１の中心に形成された穴に挿入される針状部を備えている。また、凹部の内周面には雌ねじが形成されている。この雄ねじをアンテナ入力端子４１の外周に形成されている雄ねじに螺合させることで、アンテナ入力端子４１とプラグＰｇとが接続固定される。
【００３４】
図４に示すように、プラグＰｇをアンテナ入力端子４１に接続固定したとき、プラグＰｇの先端部は、リヤキャビネット３のアンテナ入力部３２と接触又は近接して配置される。アンテナケーブルＡＣがリヤキャビネット３に沿って引張られると、アンテナケーブルＡＣに作用された力はプラグＰｇにかかる。プラグＰｇはアンテナ入力端子４１に接続固定されており、プラグＰｇ及びアンテナ入力端子４１には、アンテナ入力端子４１のシャーシ４０との接続部を中心として、アンテナケーブルＡＣが配置されている方向に回転する偶力（モーメント）が作用する。
【００３５】
図４に示すように、モーメントが作用してアンテナ入力端子４１及びプラグＰｇが曲がり始めると、アンテナ入力端子４１は貫通孔３２１の内周面３２２と接触する。また、プラグＰｇの先端がアンテナ入力部３２と接触しプラグＰｇに作用している力を受ける。以上のことより、アンテナケーブルＡＣがリヤキャビネット３に沿って引張られても、アンテナ入力端子４１の外壁面が貫通孔３２１の内周面３２２と、プラグＰｇとアンテナ入力部３２とが接触して力を受けるので、アンテナ入力端子４１が曲げられたり、折れたりするのを抑制することができる。
【００３６】
本発明にかかるリヤキャビネットの他の例について図面を参照して説明する。図５は本発明にかかる液晶テレビジョン受像機のリヤキャビネットの他の例の拡大断面図である。図５に示すリヤキャビネット３はアンテナ入力部３３が異なる以外は図４に示すリヤキャビネットと同じ構造を有しており、実質上同じ部分には同じ符号が付してある。また、実質上同じ部分の詳細な説明は省略する。
【００３７】
図５に示すように、アンテナ入力部３３は、リヤキャビネット３の他の部分よりも凹んだ凹部３３０を備えている。凹部３３０は底部に形成され、アンテナ入力端子４１が貫通した貫通孔３３１と、外側に向かって広くなるように形成された側壁部３３３とを備えている。アンテナ入力端子４１は貫通孔３３１の内周面３３２と近接しており、アンテナ入力端子４１が力を受けて傾いたときに、アンテナ入力端子４１の外周が当接し、力を内周面３３２が受ける。この構成については、貫通孔３２１の内周面３２２がアンテナ入力端子４１の該壁面からの力を受ける構成と同じであり、詳細な説明は省略する。
【００３８】
アンテナ入力端子４１にプラグＰｇを接続したときの詳細について図面を参照して説明する。図６は図５に示すアンテナ入力部に配置されたアンテナ入力端子にプラグＰｇを接続した状態の断面図である。図６に示すように、アンテナ入力端子４１にプラグＰｇを接続するとプラグＰｇの側部Ｐｇ１が凹部３３０の側壁部３３３と近接しており、プラグＰｇに対し、軸方向と交差する向きの力が作用した場合、プラグＰｇの側部Ｐｇ１が側壁部３３３と接触して力を分散するので、アンテナ入力端子４１に作用する力を低減することができる。これにより、力が作用することによるアンテナ入力端子４１の曲がり、破損等の発生を抑制することができる。
【００３９】
また、図５に示すように、アンテナ入力部３３が凹部３３０を備えていることで、アンテナケーブルＡＣが引張られたときに、アンテナケーブルＡＣは凹部３３０の開口の側部で曲がる。アンテナケーブルＡＣは曲がり部分からプラグＰｇまでの間、アンテナ入力端子４１の中心軸の延伸方向と略同じ方向に伸びており、アンテナケーブルＡＣが引張られると、プラグＰｇはアンテナ入力端子４１の軸方向と略同じ方向に引張られる。これにより、アンテナ入力端子４１には、軸と交差する方向に大きな力が作用しにくく、シャーシ４０との接続部での曲がり、破損を抑制することが可能である。
【００４０】
上述の各実施形態において、アンテナ入力端子４１として、外周に雄ねじが形成されているものを例に説明しているが、それに限定されるものではなく、ねじなしで嵌合されるアンテナ入力端子４１が用いられていても同様の効果を奏することができる。
【００４１】
本発明にかかるリヤキャビネットを用いることで、補強リブを形成しないので背面側の形状を簡略化できる。樹脂の一体成型で形成されるリヤキャビネットの成形型の形状を簡略化することができる。簡略化することで製造ミスを減らすことができ、歩留まりを上げることが可能である。
【００４２】
また、ケーブルが引張られる方向にかかわらずアンテナ入力端子の折れ、曲がりを抑制することができるので、液晶テレビジョン受像機の設置場所の制限が少なくなる。なお、上述の各実施形態では外部接続端子としてアンテナ入力端子を例に説明しているが、それに限定されるものではなく、外部機器或いはアンテナ等から液晶テレビジョン受像機に各種信号、情報を入力させるため、或いは、液晶テレビジョン受像機から外部機器へ各種信号、情報を出力させるための外部接続端子に対して広く採用することが可能である。
【産業上の利用可能性】
【００４３】
本発明は、液晶テレビジョン受像機のリヤキャビネットとして利用することが可能である。
【符号の説明】
【００４４】
Ａ  液晶テレビジョン受像機
１  液晶表示ユニット
２  フロントキャビネット
２０  側壁
３  リヤキャビネット
３１  側壁
３１  貫通孔
３２  アンテナ入力部
３２１  貫通孔
３２２  内周面
４  チューナ
４０  シャーシ
４１  アンテナ入力端子
【図１】
2011029825.tif 000003
【図２】
2011029825.tif 000004
【図３】
2011029825.tif 000005
【図４】
2011029825.tif 000006
【図５】
2011029825.tif 000007
【図６】
2011029825.tif 000008
【図７】
2011029825.tif 000009
【図８】
2011029825.tif 000010